(57)【特許請求の範囲】
【請求項１】
床面に設置される展示台を有し、該展示台の周囲が複数枚の透明パネルにより囲まれ、かつ該展示台の上方に展示空間が形成され、前記透明パネルの少なくとも一枚が扉パネルとなっている展示ケースであって、
各非接触式カードを識別するための識別ＩＤを、該識別ＩＤが登録された非接触式カードから読み取るカードリーダを有し、該カードリーダにより読み取られた前記識別ＩＤに基づいて、前記扉パネルの少なくとも解錠を許可するか否かの認証を行う認証手段を備え、
前記カードリーダは、前記展示台の周面に設けられており、
各前記透明パネルは、前記展示台の上方の前記展示空間から前記展示台の下端に渡る上下寸法を有しており、前記展示台の周囲を囲む部位は非透光性を有する非透光部となっていることを特徴とする展示ケース。
【請求項２】
前記カードリーダは、前記透明パネルの裏面側に接触されることを特徴とする請求項１に記載の展示ケース。
【請求項３】
前記カードリーダは、前記展示ケースの内側から着脱可能に配置されることを特徴とする請求項１または２に記載の展示ケース。
【請求項４】
前記展示台は、金属製の中空の枠部材が略矩形状に組み合わされて構成される基台と、該基台の上部に設けられて前記展示空間の床となる開閉可能な床部材と、を有し、前記枠部材の内方側には、前記カードリーダを挿入できる内方開口部が形成されるとともに、該枠部材の外方側には、該カードリーダを露出できる外方開口部が形成されることを特徴とする請求項３に記載の展示ケース。
【発明の詳細な説明】
【技術分野】
【０００１】
本発明は、博物館や美術館等に設置される展示ケースに関する。
【背景技術】
【０００２】
従来の展示ケースは、柱部、枠部材及び透光性パネルで構成されるとともに、開閉可能な扉体が取り付けられ、柱部に外観に露見して取り付けられた施錠具の操作により扉体の開閉を規制するようになっている（例えば、特許文献１参照）。また、透光性パネルに施錠具のシリンダ錠を嵌め込むための穴を形成して取り付ける場合もある。このような場合には、施錠具の鍵差込口が露出してしまい、展示ケースの美観を損なってしまう。
【０００３】
また、前述の施錠具を用いたのでは、シリンダ錠を用いているという解錠方法が推認されてしまうため、悪意ある第三者によりピッキングや破壊行為等の被害が生じる虞がある。そこで、鍵穴が露見しないＲＦＩＤ等の非接触ＩＣカード（非接触式カード）及び非接触カードリーダを用いて解錠を行うことができるセキュリティ装置を用いて（例えば、特許文献２参照）、展示ケースの解錠を行うようにしたいという管理者の要望がある。
【先行技術文献】
【特許文献】
【０００４】
【特許文献１】特開２００１−１４９１８６号公報
【特許文献２】特開２０１１−１８７８１３号公報
【発明の概要】
【発明が解決しようとする課題】
【０００５】
しかしながら、非接触カードリーダを展示ケースに設けた場合には、非接触カードリーダの配置箇所が目立ってしまい、展示ケースの美観を損なう虞がある。また、非接触カードリーダが露見してしまうことにより、その解錠方法が推認されてしまい、悪意ある第三者による非接触カードリーダの不正操作や破壊行為等の被害が生じる可能性があり、前述の被害に対して根本的な解決とはならないという問題がある。
【０００６】
本発明は、このような問題点に着目してなされたもので、展示ケースの美観を損なうことなく、かつ解錠方法を推認させないようにできる展示ケースを提供することを目的とする。
【課題を解決するための手段】
【０００７】
前記課題を解決するために、本発明の展示ケースは、
床面に設置される展示台を有し、該展示台の周囲が複数枚の透明パネルにより囲まれ、かつ該展示台の上方に展示空間が形成され、前記透明パネルの少なくとも一枚が扉パネルとなっている展示ケースであって、
各非接触式カードを識別するための識別ＩＤを、該識別ＩＤが登録された非接触式カードから読み取るカードリーダを有し、該カードリーダにより読み取られた前記識別ＩＤに基づいて、前記扉パネルの少なくとも解錠を許可するか否かの認証を行う認証手段を備え、
前記カードリーダは、前記展示台の周面に設けられており、
各前記透明パネルは、前記展示台の上方の前記展示空間から前記展示台の下端に渡る上下寸法を有しており、前記展示台の周囲を囲む部位は非透光性を有する非透光部となっていることを特徴としている。
この特徴によれば、非接触式カードがかざされるカードリーダが、非透光部によって隠蔽されて、展示ケースの外方から視認できないようになり、かつ非透光部が展示台の周面を覆う位置に設けられることで、カードリーダの配置箇所が特定されずに済むようになり、展示ケースの美観を損なうことなく、かつ解錠方法を推認させないようにできる。また、非接触式カードとカードリーダとを用いる認証手段により、悪意ある第三者によりピッキング等を防止できる。例えば、管理者以外の第三者が対応する非接触式カードを不正に入手できたとしても、展示ケースにおけるカードリーダの配置箇所を特定できないため、第三者による展示ケースの不正解錠を防止することができる。
【０００９】
本発明の展示ケースは、
前記カードリーダは、前記透明パネルの裏面側に接触されることを特徴としている。
この特徴によれば、非接触式カードをカードリーダにかざす際に、非接触式カードとカードリーダとの距離を短くでき、非接触式カードとカードリーダとの間の通信を良好に行うことができる。
【００１０】
本発明の展示ケースは、
前記カードリーダは、前記展示ケースの内側から着脱可能に配置されることを特徴としている。
この特徴によれば、悪意ある第三者によって外側からカードリーダが取り出されるのを防止しつつ、扉パネルを開放可能な管理者は、カードリーダの修理や交換時におけるメンテナンスを簡便に行うことができる。
【００１１】
本発明の展示ケースは、
前記展示台は、金属製の中空の枠部材が略矩形状に組み合わされて構成される基台と、該基台の上部に設けられて前記展示空間の床となる開閉可能な床部材と、を有し、前記枠部材の内方側には、前記カードリーダを挿入できる内方開口部が形成されるとともに、該枠部材の外方側には、該カードリーダを露出できる外方開口部が形成されることを特徴としている。
この特徴によれば、床部材により展示空間側から基台を構成する枠部材が隠蔽されており、かつ床部材を開放して枠部材の内方開口部からカードリーダを挿入することで、強度を有する金属製の枠部材の内部にカードリーダを配置してカードリーダを安定的に保持できるとともに、カードリーダの修理や交換時におけるメンテナンスを簡便に行うことができる。また、かつ枠部材の外方開口部からカードリーダを露出させたことで、カードリーダと非接触式カードとの間の通信が金属製の枠部材より妨害されずに行われるようになる。
【図面の簡単な説明】
【００１２】
【図１】実施例における展示ケースを示す斜視図である。
【図２】展示ケース内部を示す縦断平面図である。
【図３】扉開閉装置を示す縦断平面図である。
【図４】カードリーダを示す一部拡大断面図である。
【図５】扉パネルの施解錠構造を示すＡ−Ａ断面図である。
【図６】扉パネルの施解錠構造を示すＢ−Ｂ断面図である。
【図７】扉パネルの解錠の流れについて説明するＣ−Ｃ断面図である。
【図８】扉パネルの解錠の流れについて説明するＢ−Ｂ断面図である。
【図９】扉パネルの施錠の流れについて説明するＢ−Ｂ断面図である。
【図１０】扉パネルの施錠の流れについて説明するＣ−Ｃ断面図である。
【発明を実施するための形態】
【００１３】
本発明に係る展示ケースを実施するための形態を実施例に基づいて以下に説明する。
【実施例】
【００１４】
実施例に係る展示ケースにつき、図１から図１０を参照して説明する。以下、図２から図４の紙面下方側を展示ケースの背面側とし、図５から図１０の紙面右方側を展示ケースの背面側として説明する。図１の符号１は、本発明の適用された展示ケースである。この展示ケース１は、主に美術館や博物館等に設置され、展示ケース１内に配置された展示品（図示略）を、鑑賞者が展示ケース１の周囲から鑑賞できるようになっている。
【００１５】
図１に示すように、展示ケース１は、床面に設置されて平面視で略四角形状（略矩形状）をなす基台２及び展示品（図示略）を載置する床部材２７により構成される展示台４を有している。そして、この展示台４の側面の外周（周面）を取り囲むように、床面から立設されたガラス等の材質で形成された透明なガラスパネルで構成される側面パネル３（透明パネル）が配置されて、その内部に展示品（図示略）が配置される展示空間が形成されている。なお、これら複数枚の側面パネル３のうち背面側に配置されるパネルは、開閉可能な扉パネル５（透明パネル）となっているとともに、この扉パネル５は後述するように施解錠が可能となっている（図２参照）。
【００１６】
また、図１に示すように、側面パネル３で囲まれた展示空間の上方は、ガラスパネルで構成されて、その上面側に照明器具７が配置された天井パネル６により覆われている。さらに、側面パネル３及び扉パネル５における展示台４を囲む部位には、側面パネル３及び扉パネル５の裏面側にマスキング塗装により形成された塗装膜５４（非透光部）が設けられており、この塗装膜５４により基台２の側面が隠蔽され、展示ケース１の外方より基台２が視認できないようになっている。
【００１７】
図３及び図５に示すように、基台２は、金属製の鉄骨フレーム部材２３（枠部材）が組み合わされて構成されている。さらに、基台２は、キャスター２４が取り付けられており、このキャスター２４により展示ケース１を移動できるようになっている。この展示ケース１は、キャスター２４によって室内の任意の場所に移動して設置することができる。なお、基台２の上方には、床部材２７が着脱可能（開閉可能）に載置されている。さらに、基台２の背面側には、扉パネル５を支持し、かつ扉パネル５を手動操作により開閉可能する扉開閉装置２８が設けられている。
【００１８】
また、この扉開閉装置２８は、シャフト部材３０により扉パネル５を前後移動可能としている。そして、シャフト部材３０の端部に取り付けられたレール基部３１には、左右方向にスライド移動されるスライドレール装置３２が設けられるとともに、スライドレール装置３２には、左右方向にスライド移動される移動板３３が設けられている。この移動板３３にカバー部材３４を介して扉パネル５の下部が接着剤等により取り付けられており、扉パネル５は、スライドレール装置３２に沿って左右方向に移動可能となっている。
【００１９】
なお、扉パネル５を開放する際には、先ず管理者が扉パネル５の下端縁のカバー部材３４を掴んで、扉パネル５を数センチほど背面側に引き出す。そして、扉パネル５を側方にスライド移動させて開放するようになっている（図２参照）。
【００２０】
また、図４及び図６に示すように、展示ケース１は、平面視で略Ｌ字型のブラケット２５，２５が、それぞれ一方の１面がレール基部３１の面に固着され、他方の１面におけるそれぞれの端部を渡すように丸棒２６が固着されており、この丸棒２６が鉄骨フレーム部材２３の内部に配置されたロック装置３５に拘持されて、扉パネル５が保持されるようになっている。より詳しくは、ロック装置３５は、トリガ部３６と拘持部３７とから構成されるスナッチロックとなっており、トリガ部３６は拘持部３７が押圧されることで一旦解除側に移動された後、図示しないバネにより拘持側に復帰し、両者の係合が完了するとともに両者の間に丸棒２６を拘持するようになっている。
【００２１】
次に、解錠・施錠構造を図２から図６を用いて説明する。本実施例の展示ケース１は、ロック装置３５の解除・保持により扉パネル５の解錠・施錠を行えるようになっており、このロック装置３５の解除には、後述する非接触式カードＫ及びカードリーダ４０を用いて認証を行う認証装置が用いられる。
【００２２】
図４及び図５に示すように、非接触式カードＫとの通信を行うアンテナ部４１及び認証処理を行う制御基板４２（認証手段）を有するカードリーダ４０が設けられている。また、カードリーダ４０は、アンテナ部４１と制御基板４２とを保持する筐体４９を有している。そして、筐体４９はアンテナ部４１を露出する露出部４７を有している。なお、このカードリーダ４０は、１つの側面パネル３に近接された鉄骨フレーム部材２３の内部に配置される。
【００２３】
また、鉄骨フレーム部材２３の内方側には、カードリーダ４０の筐体４９を挿入可能な大寸の開口部２３２が開口されている。さらに、鉄骨フレーム部材２３の外方側には、筐体４９の露出部４７を外方に向けた状態で筐体４９が嵌合される小寸の開口部２３１が開口されている。なお、筐体４９には、鉄骨フレーム部材２３の開口部２３１に嵌合された状態で、筐体４９の脱落を防止する凸片４８が設けられている。そして、カードリーダ４０のアンテナ部４１は、開口部２３１から側面パネル３に向いて露出されており、このアンテナ部４１は側面パネル３の裏面側に接触される。
【００２４】
また、図４に示すように、側面パネル３及び扉パネル５における展示台４を囲む部位には、塗装膜５４が設けられるため、側面パネル３における塗装膜５４が設けられた部分の内側に配置されたカードリーダ４０が展示ケース１の外方から視認できなくなっている。
【００２５】
さらに、制御基板４２は、施解錠の状態を判定する認証コントローラの機能を有している。そして、図２及び図６に示すように、制御基板４２は、後述する第１リミットスイッチ４３及び第２リミットスイッチ４４，４４から検出された検出信号を受け取ることで、扉パネル５の開放または閉塞状態を把握できるようになっている。また、この制御基板４２により後述するラッチング・ソレノイド４５の操作が行われるようになっている。
【００２６】
図５及び図６に示すように、ロック装置３５のトリガ部３６に一方の端部を固定するワイヤー５０が、プーリー５１を介してシャフト５２近傍まで伸びており、他方の端部がシャフト５２に回動不能に嵌着された操作補助板５３に固定されている。また、このシャフト５２の同軸上に回動不能に嵌着され、基台２底部にレバー部３８１が露出されるとともに、突片３９を有する解錠レバー３８が配置されている。
【００２７】
さらに、ラッチング・ソレノイド４５は、鉄骨フレーム部材２３の下面側に設けられている。そして、ラッチング・ソレノイド４５は、電磁力により鉄心４５１を引き込み側または押し出し側に移動させることができる。また、このラッチング・ソレノイド４５には、その一部に切欠き部分４６１を設けた板状の規制部材４６が取り付けられている。なお、鉄心４５１が押し出し側に移動されている際には、規制部材４６の切欠き部分４６１が突片３９の軌道上に位置することで、解錠レバー３８の解錠方向への回動が規制されるようになっている。
【００２８】
また、前述したカードリーダ４０は、非接触式カードＫ（図４参照）の接近により非接触式カードＫ内に登録された識別ＩＤデータをアンテナ部４１で読み取り、識別ＩＤデータより正規の管理者の操作であるか否かの認証を行い、正規の管理者であると認証された場合に、一定時間ラッチング・ソレノイドの鉄心４５１を引き込み側に移動するようになっている。
【００２９】
続いて、展示ケースにおける扉パネルの解錠の流れについて図４と図７及び図８を用いて説明する。解錠については、前述したように、カードリーダ４０は非接触式カードＫ（図４参照）の接近により非接触式カードＫ内に登録された識別ＩＤデータをアンテナ部４１で読み取り、識別ＩＤデータより正規の管理者であるかの認証を行い、正規の管理者である場合に、一定時間ラッチング・ソレノイドの鉄心４５１が引き込み側に移動され、これに合わせて鉄心４５１に取り付けられた規制部材４６が引き込み側に移動される（図７参照）。
【００３０】
そして、規制部材４６が引き込み側に移動されたことで、規制部材の切欠き部分４６１と解錠レバーの突片３９が離間し、解錠レバー３８が操作可能な状態となる。なお、扉パネル５が開かないまま一定時間が経過するとラッチング・ソレノイドの鉄心４５１が再び押し出し側に移動され、解錠レバー３８が操作不能な状態となる（図１０参照）。
【００３１】
続いて、図７及び図８に示すように、規制部材４６が引き込み側に移動された状態で、解錠レバー３８が操作されると、この解錠レバー３８と同軸のシャフト５２が回転し、この回転により操作補助板５３が連動してワイヤー５０がシャフト５２の回動方向に引っ張られる。そして、プーリー５１により引き込み方向を調整されたワイヤー５０によりトリガ部３６の解除操作が行われて、ロック装置３５から丸棒２６が解除される。これにより扉パネル５が開放可能な状態となる。
【００３２】
次に、施錠の流れを図９及び図１０を用いて説明する。先ず図９に示すように、扉パネル５を閉めると、丸棒２６がロック装置における拘持部３７及び図示しないバネにより付勢されたトリガ部３６の復帰により自動的に拘持され、扉パネル５が開放不能に保持される。このとき図１０に示すように、トリガ部３６が自動的に復帰したことでワイヤー５０が矢印方向に引っ張られる。これにより操作補助板５３及びシャフト５２が解錠操作以前の状態まで回動して復帰するため、シャフト５２と同軸の解錠レバー３８もまた解錠操作以前の状態まで回動し復帰する。
【００３３】
さらに、第２リミットスイッチ４４（図３参照）により扉パネル５が閉じられたことを制御基板４２が判定すると、ラッチング・ソレノイド４５の鉄心４５１が押し出し側に移動される。これにより規制部材４６の切欠き部分４６１が突片３９の軌道上に移動し、解錠レバー３８の解錠方向への回動が規制され、解錠レバー３８が解錠操作不能な状態となる。
【００３４】
続いて、制御基板４２による不正解錠の検知方法について図３及び図６を用いて説明する。第１リミットスイッチ４３は、ラッチング・ソレノイド４５が引き込まれた際にのみ、規制部材における突片４６２が第１リミットスイッチ４３の端部に接触するように配置されている。そして、ラッチング・ソレノイド４５の鉄心４５１が引き込み側または押し出し側のどちらの状態にあるかを検出し、所定の検出信号が制御基板４２に送信されるようになっている。
【００３５】
また、前述したように、扉パネル５と基台２との間に設けられた第２リミットスイッチ４４，４４は、実際に扉パネル５が解放されたか否かを検出し、所定の検出信号が制御基板４２に送信されるようになっている。
【００３６】
そして、悪意のある第三者により扉パネル５が無理やりこじ開けられた場合には、ラッチング・ソレノイド４５の鉄心４５１が押し出し側（即ち解錠レバー３８が操作不能な状態）にあると第１リミットスイッチ４３により検出されているにも関わらず、扉パネル５が開いたことが第２リミットスイッチ４４，４４より検出されるため、制御基板４２は、扉パネル５が不正に開放されたと判断し、ブザー等で警報音を鳴らし、管理者に報知するようになっている。
【００３７】
このように本発明の展示ケース１では、カードリーダ４０が展示台４の側面に設けられるとともに、カードリーダ４０を隠蔽する非透光性を有する塗装膜５４（非透光部）が展示台４の周囲を囲む位置に設けられることで、非接触式カードＫがかざされるカードリーダ４０が、塗装膜５４によって隠蔽されて、展示ケース１の外方から視認できないようになり、かつ塗装膜５４が展示台４の周囲を囲む位置に設けられることで、展示ケース１をいずれの方向から視認しても、展示ケース１の外観形態が統一され、カードリーダ４０の配置箇所が特定されずに済むようになり、展示ケース１の美観を損なうことなく、かつ解錠方法を推認させないようにできる。また、非接触式カードＫとカードリーダ４０とを用いる認証手段により、悪意ある第三者によりピッキング等を防止できる。
【００３８】
また、塗装膜５４（非透光部）は、側面パネル３の一部に形成され、カードリーダ４０は、側面パネル３における塗装膜５４が形成された部位に配置されることで、展示台４の周囲を囲む側面パネル３によりカードリーダ４０を隠蔽させることができ、かつ側面パネル３と非透光部とが一体的となり、展示ケース１の見栄えが向上する。
【００３９】
また、カードリーダ４０は、側面パネル３の裏面側に接触されることで、非接触式カードＫをカードリーダ４０にかざす際に、非接触式カードＫとカードリーダ４０との距離を短くでき、非接触式カードＫとカードリーダ４０との間の通信を良好に行うことができる。
【００４０】
また、カードリーダ４０は、展示ケース１の内側から着脱可能に配置されることで、悪意ある第三者によって外側からカードリーダ４０が取り出されるのを防止しつつ、扉パネル５を開放可能な管理者は、カードリーダ４０の修理や交換時におけるメンテナンスを簡便に行うことができる。
【００４１】
また、展示台４は、金属製の中空の鉄骨フレーム部材２３（枠部材）が略矩形状に組み合わされて構成される基台２と、この基台２の上部に設けられて展示空間の床となる開閉可能な床部材２７と、を有し、鉄骨フレーム部材２３の内方側には、カードリーダ４０を挿入できる開口部２３２（内方開口部）が形成されるとともに、鉄骨フレーム部材２３の外方側には、カードリーダ４０を露出できる開口部２３１（外方開口部）が形成されることで、床部材２７により展示空間側から基台２を構成する鉄骨フレーム部材２３が隠蔽されており、かつ床部材２７を開放して鉄骨フレーム部材２３の開口部２３２からカードリーダ４０を挿入することで、強度を有する金属製の鉄骨フレーム部材２３の内部にカードリーダ４０を配置してカードリーダ４０を安定的に保持できるとともに、カードリーダ４０の修理や交換時におけるメンテナンスを簡便に行うことができる。また、かつ鉄骨フレーム部材２３の開口部２３１からカードリーダ４０を露出させたことで、カードリーダ４０と非接触式カードＫとの間の通信が金属製の鉄骨フレーム部材２３より妨害されずに行われるようになる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、ラッチング・ソレノイド４５の鉄心４５１が規制部材４６の位置を操作して解錠レバー３８によりロック装置３５のトリガ部３６を操作する構成となっているが、ロック装置３５のトリガ部３６の操作は、これに限ることなく、ラッチング・ソレノイド４５の鉄心４５１の引き込み側または押し出し側への移動に直接ロック装置３５のトリガ部３６が連動することで行われるようにしてもよい。
【００４４】
また、前記実施例では、扉パネル５を開放させる際に、扉パネル５を背面側に引き出した後に側方にスライド移動させる構成となっているが、扉パネル５の開放形態は、これに限ることなく、扉パネル５を背面側のみに大きく引き出して開放させるようにしてもよいし、扉パネル５を揺動移動により開放させるようにしてもよい。
【００４５】
また、前記実施例では、非透光部が側面パネル３の裏面側に塗装膜５４を塗布して設けられるようになっているが、この限りでなく、例えば、非透光性のシールや板材を用いて非透光部としてもよい。さらに、非透光部を設ける位置に関しては、側面パネル３の表面側に設けてもよい。なお、基台２及び床部材２７の外周面に目隠しとなる非透光性のシールや板材を用いて非透光部としてもよい。さらになお、側面パネル３を２重ガラスにして、これら２枚のガラスの間に非透光部を設けるようにしてもよい。
【００４６】
また、前記実施例では、カードリーダ４０が鉄骨フレーム部材２３の内方に配置される構成となっているが、カードリーダ４０の配置位置は、非透光性を持つ部位の内側であればどこに配置されていてもよく、例えば、床部材２７の上下厚みを大きく形成し、この床部材２７の内部にカードリーダ４０を配置してもよい。
【００４７】
また、少なくともカードリーダ４０におけるアンテナ部４１が非透光性を持つ部位の内側に配置されてさえいればよく、カードリーダ４０におけるその他の部材はアンテナ部４１と離間して展示台４内の別の場所に収納されるようにしてもよい。
【００４８】
また、前記実施例では、制御基板４２（認証手段）を有するカードリーダ４０が、扉パネル５の解錠を許可するか否かの認証を行うようになっているが、カードリーダ４０が、解錠を許可するか否かの認証の他に、施錠を許可するか否かの認証を行うようにしてもよい。
【００４９】
また、前記実施例では、展示台４の側面の外周を取り囲むように側面パネル３が配置された行灯型四面展示ケースと称される展示ケース１に適用されているが、本願発明は、行灯型四面展示ケースに限らず、壁面等に設置されて、側面パネル３及び扉パネル５が展示ケースの一面側にのみ設けられる壁面展示ケースにも適用できる。
【符号の説明】
【００５０】
１                展示ケース
２                基台
３                側面パネル（透明パネル）
４                展示台
５                扉パネル（透明パネル）
２３              鉄骨フレーム部材（枠部材）
２７              床部材
４０              カードリーダ
４２              制御基板（認証手段）
５４              塗装膜（非透光部）
２３１            開口部（外方開口部）
２３２            開口部（内方開口部）
Ｋ                非接触式カード
【図１】
0005993155.tif 000002
【図２】
0005993155.tif 000003
【図３】
0005993155.tif 000004
【図４】
0005993155.tif 000005
【図５】
0005993155.tif 000006
【図６】
0005993155.tif 000007
【図７】
0005993155.tif 000008
【図８】
0005993155.tif 000009
【図９】
0005993155.tif 000010
【図１０】
0005993155.tif 000011